(57)【特許請求の範囲】
【請求項１】
一方の端子に書込電圧が供給され、他方の端子がノードに電気的に接続されたスイッチング素子と、
一方の電極が前記ノードと電気的に接続され、他方の電極が第１電源線と電気的に接続される第１発光素子と、
一方の電極が前記ノードと電気的に接続され、他方の電極が第２電源線と電気的に接続される第２発光素子と、
前記第１発光素子と並列に設けられた第１容量と、
前記第２発光素子と並列に設けられた第２容量と、を備える画素回路の駆動方法であって、
書込期間において、
前記第１電源線に、前記第１発光素子に印加される電圧が発光閾値電圧未満となる電位を供給し、
前記第２電源線に、前記第２発光素子に印加される電圧が発光閾値電圧未満となる電位を供給し、
前記スイッチング素子がオン状態となり、前記書込電圧として前記第１発光素子の輝度に応じた電圧が前記第１容量および前記第２容量に供給されることによって電荷が蓄積され、
発光期間において、
前記スイッチング素子がオフ状態となり、
前記第１電源線に固定電位を供給し、且つ前記第２電源線の電位を変化させて、前記第２容量から前記第１発光素子に電流を流し、当該電流に応じて前記第１発光素子が発光する、
ことを特徴とする画素回路の駆動方法。
【請求項２】
一方の端子に書込電圧が供給され、他方の端子がノードに電気的に接続されたスイッチング素子と、
一方の電極が前記ノードと電気的に接続され、他方の電極が第１電源線と電気的に接続される第１発光素子と、
一方の電極が前記ノードと電気的に接続され、他方の電極が第２電源線と電気的に接続される第２発光素子と、
前記第１発光素子と並列に設けられた第１容量と、
前記第２発光素子と並列に設けられた第２容量と、を備える画素回路の駆動方法であって、
書込期間において、
前記第１電源線に、前記第１発光素子に印加される電圧が発光閾値電圧未満となる電位を供給し、
前記第２電源線に、前記第２発光素子に印加される電圧が発光閾値電圧未満となる電位を供給し、
前記スイッチング素子がオン状態となり、前記書込電圧が前記第１容量および前記第２容量に供給されることによって電荷が蓄積され、
発光期間において、
前記スイッチング素子がオフ状態となり、
前記書込期間において前記書込電圧として前記第１発光素子の輝度に応じた電圧を書き込んだ場合、前記発光期間において、前記第１電源線に固定電位を供給し、且つ前記第２電源線の電位を変化させて、前記第２容量から前記第１発光素子に電流を流し、
前記書込期間において前記書込電圧として前記第２発光素子の輝度に応じた電圧を書き込んだ場合、前記発光期間において、前記第２電源線に固定電位を供給し、且つ前記第１電源線の電位を変化させて、前記第１容量から前記第２発光素子に電流を流す、
ことを特徴とする画素回路の駆動方法。
【請求項３】
一方の端子に書込電圧が供給され、他方の端子がノードに電気的に接続されたスイッチング素子と、
一方の電極が前記ノードと電気的に接続され、他方の電極が第１電源線と電気的に接続される第１発光素子と、
一方の電極が前記ノードと電気的に接続され、他方の電極が第２電源線と電気的に接続される第２発光素子と、
前記第１発光素子と並列に設けられた第１容量と、
前記第２発光素子と並列に設けられた第２容量と、を備える画素回路の駆動方法であって、
書込期間において、
前記第１電源線に、前記第１発光素子に印加される電圧が発光閾値電圧未満となる電位を供給し、
前記第２電源線に、前記第２発光素子に印加される電圧が発光閾値電圧未満となる電位を供給し、
前記スイッチング素子がオン状態となり、前記書込電圧が前記第１容量および前記第２容量に供給されることによって電荷が蓄積され、
発光期間において、
前記スイッチング素子がオフ状態となり、
前記書込期間において前記書込電圧として前記第１発光素子の輝度に応じた電圧を書き込んだ場合、前記発光期間において、前記第２容量から前記第１発光素子に電流が流れるように、前記第１電源線および前記第２電源線の電位を変化させ、
前記書込期間において前記書込電圧として前記第２発光素子の輝度に応じた電圧を書き込んだ場合、前記発光期間において、前記第１容量から前記第２発光素子に電流が流れるように、前記第１電源線および前記第２電源線の電位を変化させる、
ことを特徴とする画素回路の駆動方法。
【請求項４】
前記第１容量の一部又は全部は、前記第１発光素子の寄生容量であり、
前記第２容量の一部又は全部は、前記第２発光素子の寄生容量である、
ことを特徴とする請求項１乃至請求項３のいずれかに記載の画素回路の駆動方法。
【請求項５】
複数の走査線と、複数のデータ線と、複数の第１電源線と、複数の第２電源線と、
前記複数の走査線と前記複数のデータ線との交差に対応して各々設けられ、前記データ線とノードの間に設けられ選択信号によってオン状態となるスイッチング素子と、一方の電極が前記ノードと電気的に接続され他方の電極が前記第１電源線と電気的に接続される第１発光素子と、一方の電極が前記ノードと電気的に接続され他方の電極が前記第２電源線と電気的に接続される第２発光素子と、前記第１発光素子と並列に設けられた第１容量と、前記第２発光素子と並列に設けられた第２容量とを備える画素回路と、
前記複数の走査線に対して前記選択信号を順次排他的に出力する走査線駆動回路と、
前記選択信号により選択される前記走査線に対応して設けられた複数の前記画素回路に対して、書込電圧を前記複数のデータ線を介して供給するデータ線駆動回路と、
前記複数の第１電源線および前記複数の第２電源線に電位を供給する電位制御回路とを備え、
前記複数の画素回路の各々において、前記選択信号が供給される期間を書込期間、前記選択信号が供給されない期間を発光期間としたとき、
前記電位制御回路は、
前記書込期間となる画素回路に接続された前記第１電源線に、前記第１発光素子に印加される電圧が発光閾値電圧未満となる電位を供給し、
前記書込期間となる画素回路に接続された前記第２電源線に、前記第２発光素子に印加される電圧が発光閾値電圧未満となる電位を供給し、
前記発光期間となる画素回路に接続された前記第１電源線および第２電源線に供給する電位を、前記第１容量および前記第２容量のうち、一方の容量から、他方の容量に並列に設けられた発光素子に電流が流れるように設定する、
ことを特徴とする電気光学装置。
【請求項６】
前記電位制御回路は、
前記書込期間において、前記書込電圧として前記第１発光素子の輝度に応じた電圧を書き込まれた前記画素回路に対して、前記発光期間において、当該画素回路に対応する前記第１電源線に固定電位を供給し、且つ当該画素回路に対応する前記第２電源線の電位を変化させて、前記第２容量から前記第１発光素子に電流を流し、
前記書込期間において、前記書込電圧として前記第２発光素子の輝度に応じた電圧を書き込まれた前記画素回路に対して、前記発光期間において、前記第２電源線に固定電位を供給し、且つ前記第１電源線の電位を変化させて、前記第１容量から前記第２発光素子に電流を流す、
ことを特徴とする請求項５に記載の電気光学装置。
【請求項７】
前記書込期間において、前記書込電圧として前記第１発光素子の輝度に応じた電圧を書き込まれた前記画素回路に対して、前記発光期間において、前記第２容量から前記第１発光素子に電流が流れるように、当該画素回路に対応する前記第１電源線および前記第２電源線の電位を変化させ、
前記書込期間において、前記書込電圧として前記第２発光素子の輝度に応じた電圧を書き込まれた前記画素回路に対して、前記発光期間において、前記第１容量から前記第２発光素子に電流が流れるように、当該画素回路に対応する前記第１電源線および前記第２電源線の電位を変化させる、
ことを特徴とする請求項５に記載の電気光学装置。
【請求項８】
請求項５乃至７に記載の電気光学装置を備えたことを特徴とする電子機器。
【発明の詳細な説明】
【技術分野】
【０００１】
本発明は、有機ＥＬ（Electroluminescence）素子などの発光素子を備える画素回路の駆動方法、電気光学装置および電子機器に関する。
【背景技術】
【０００２】
近年、２画面表示機能を有するカーナビゲーションシステムや３Ｄテレビ等の普及に伴い、左右用の異なる２つの画像を表示する２画面表示装置あるいは、右目用画像と左目用画像とを同時に出力して３Ｄ表示を行う３Ｄディスプレイのニーズが高まりつつある。
一般的に、２画面表示装置は、右側用の画像を表示するための画素と、左側用の画像を表示するための画素とを交互に配列し、画素と観察者との間にレンチキュラレンズや視差バリア等の画素に対応する光学装置により左右の画像を光学的に分離することで、左右で異なる画像の表示を実現している。
【０００３】
また、自発光素子である有機ＥＬ素子（以下、「ＯＬＥＤ素子」と称する）を２画面表示装置に適用することで装置の小型化を図り、ＨＭＤ（Head Mounted Display）等に適用するというニーズも存在する。
【先行技術文献】
【特許文献】
【０００４】
【特許文献１】特開２００６−２５９１９２号公報
【特許文献２】特開２００９−２１１０３５号公報
【発明の概要】
【発明が解決しようとする課題】
【０００５】
このような２画面表示装置においては、左側用の画像と右側用の画像を同時に表示するため、通常の１画面表示装置に比べて２倍の画素数を要する。
通常の１画面表示装置に比べて表示の精細度を落とさずに２画面表示を実現させるためには、倍の密度で画素を配置する必要があり、製造工程の複雑化による製品価格の上昇や、歩留まり低下等が問題となる。
【０００６】
また、有機ＥＬ素子に電流が流れる期間が１水平走査期間に限定された場合、電流が流れる期間が１垂直走査期間の場合と比較して、有機ＥＬ素子を高い輝度で発光させる必要がある。このため、有機ＥＬ素子には大きな電流を流す必要がある。有機ＥＬ素子に大きな電流が流れる場合、有機ＥＬ素子の寿命が短くなるといった問題が発生する。
【０００７】
そこで、本発明は、上述した事情を考慮して、簡易な構成で高精細度の２画面表示装置を提供することを解決課題とする。
【課題を解決するための手段】
【０００８】
本発明に係る画素回路の駆動方法は、一方の端子に書込電圧が供給され、他方の端子がノードに電気的に接続されたスイッチング素子と、一方の電極が前記ノードと電気的に接続され、他方の電極が第１電源線と電気的に接続される第１発光素子と、一方の電極が前記ノードと電気的に接続され、他方の電極が第２電源線と電気的に接続される第２発光素子と、前記第１発光素子と並列に設けられた第１容量と、前記第２発光素子と並列に設けられた第２容量と、を備える画素回路の駆動方法であって、書込期間において、前記第１電源線に、前記第１発光素子に印加される電圧が発光閾値電圧未満となる電位を供給し、前記第２電源線に、前記第２発光素子に印加される電圧が発光閾値電圧未満となる電位を供給し、前記スイッチング素子がオン状態となり、前記書込電圧として前記第１発光素子の輝度に応じた電圧が前記第１容量および前記第２容量に供給されることによって電荷が蓄積され、発光期間において、前記スイッチング素子がオフ状態となり、前記第１電源線に固定電位を供給し、且つ前記第２電源線の電位を変化させて、前記第２容量から前記第１発光素子に電流を流し、当該電流に応じて前記第１発光素子が発光する、ことを特徴とする。
【０００９】
この発明によれば、第２容量を第１発光素子の電流源として機能させ、第１発光素子を発光させることが可能となる。より具体的には、発光期間において、ノードの電位が、書込電圧に相当する電位から、所定電位に上昇するように、第２電源線の電位を第２電位から第２電位よりも高い第１電位に単調増加させるように変化させることが好ましい。また、所定電位は、ノードの電位と第１電源線の電位との電位差が第１発光素子の発光閾値電圧以上となるとなることが好ましい。
また、この発明によれば、書込期間において第１発光素子および第２発光素子を非発光とすることができるので、正確な輝度を表示することが可能となる。
【００１０】
上述した画素回路の駆動方法において、前記第１容量の一部又は全部は、前記第１発光素子の寄生容量であり、前記第２容量の一部又は全部は、前記第２発光素子の寄生容量であることが好ましい。この場合には、寄生容量を用いて第１容量および第２容量を構成するので、容量素子を不要、あるいはその面積を小さくすることができる。この結果、画素回路を簡素化できるとともに、発光素子の面積を大きくすることが可能となる。
【００１４】
また、本発明に係る画素回路の駆動方法は、一方の端子に書込電圧が供給され、他方の端子がノードに電気的に接続されたスイッチング素子と、一方の電極が前記ノードと電気的に接続され、他方の電極が第１電源線と電気的に接続される第１発光素子と、一方の電極が前記ノードと電気的に接続され、他方の電極が第２電源線と電気的に接続される第２発光素子と、前記第１発光素子と並列に設けられた第１容量と、前記第２発光素子と並列に設けられた第２容量と、を備える画素回路の駆動方法であって、書込期間において、前記第１電源線に、前記第１発光素子に印加される電圧が発光閾値電圧未満となる電位を供給し、前記第２電源線に、前記第２発光素子に印加される電圧が発光閾値電圧未満となる電位を供給し、前記スイッチング素子がオン状態となり、前記書込電圧が前記第１容量および前記第２容量に供給されることによって電荷が蓄積され、発光期間において、前記スイッチング素子がオフ状態となり、前記書込期間において前記書込電圧として前記第１発光素子の輝度に応じた電圧を書き込んだ場合、前記発光期間において、前記第１電源線に固定電位を供給し、且つ前記第２電源線の電位を変化させて、前記第２容量から前記第１発光素子に電流を流し、前記書込期間において前記書込電圧として前記第２発光素子の輝度に応じた電圧を書き込んだ場合、前記発光期間において、前記第２電源線に固定電位を供給し、且つ前記第１電源線の電位を変化させて、前記第１容量から前記第２発光素子に電流を流す、ことを特徴とする。
【００１５】
また、本発明に係る画素回路の駆動方法は、一方の端子に書込電圧が供給され、他方の端子がノードに電気的に接続されたスイッチング素子と、一方の電極が前記ノードと電気的に接続され、他方の電極が第１電源線と電気的に接続される第１発光素子と、一方の電極が前記ノードと電気的に接続され、他方の電極が第２電源線と電気的に接続される第２発光素子と、前記第１発光素子と並列に設けられた第１容量と、前記第２発光素子と並列に設けられた第２容量と、を備える画素回路の駆動方法であって、書込期間において、前記第１電源線に、前記第１発光素子に印加される電圧が発光閾値電圧未満となる電位を供給し、前記第２電源線に、前記第２発光素子に印加される電圧が発光閾値電圧未満となる電位を供給し、前記スイッチング素子がオン状態となり、前記書込電圧が前記第１容量および前記第２容量に供給されることによって電荷が蓄積され、発光期間において、前記スイッチング素子がオフ状態となり、前記書込期間において前記書込電圧として前記第１発光素子の輝度に応じた電圧を書き込んだ場合、前記発光期間において、前記第２容量から前記第１発光素子に電流が流れるように、前記第１電源線および前記第２電源線の電位を変化させ、前記書込期間において前記書込電圧として前記第２発光素子の輝度に応じた電圧を書き込んだ場合、前記発光期間において、前記第１容量から前記第２発光素子に電流が流れるように、前記第１電源線および前記第２電源線の電位を変化させる、ことを特徴とする。
【００１６】
この発明によれば、第１電源線と第２電源線の両方の電位を制御するので、一方の電位のみを制御する場合と比較して、発光素子に供給する電流を大きくすることができる。また、発光期間において、第１電源線の電位と２電源線の電位を差動形式で変化させることにより、第１電源線および第２電源線の電位のダイナミックレンジを狭くすることができ、駆動が容易となる。
【００１７】
より具体的には、第１電位よりも低い電位を第２電位としたとき、書込期間において、第１電源線には、第１電位または第２電位のうち一方の電位を出力し、第２電源線には、第１電位または第２電位のうち他方の電位を出力し、ノードには、スイッチング素子を介して、ノードの電位と第２電位の電位差が、発光閾値電圧未満となるような、書込電圧が供給され、発光期間において、ノードの電位が、書込電圧に相当する電位から、ノードの電位と第２電位との電位差が発光閾値電圧以上に相当する電位へと変化するように、第１電源線に出力される電位が、第１電位または第２電位のうち一方の電位から、第１電位または第２電位のうち他方の電位へと直線的に変化させ、第２電源線に出力される電位が、第１電位または第２電位のうち他方の電位から、第１電位または前記第２電位のうち一方の電位へと直線的に変化させることが好ましい。
【００１８】
次に、本発明に係る電気光学装置は、複数の走査線と、複数のデータ線と、複数の第１電源線と、複数の第２電源線と、前記複数の走査線と前記複数のデータ線との交差に対応して各々設けられ、前記データ線とノードの間に設けられ選択信号によってオン状態となるスイッチング素子と、一方の電極が前記ノードと電気的に接続され他方の電極が前記第１電源線と電気的に接続される第１発光素子と、一方の電極が前記ノードと電気的に接続され他方の電極が前記第２電源線と電気的に接続される第２発光素子と、前記第１発光素子と並列に設けられた第１容量と、前記第２発光素子と並列に設けられた第２容量とを備える画素回路と、前記複数の走査線に対して前記選択信号を順次排他的に出力する走査線駆動回路と、前記選択信号により選択される前記走査線に対応して設けられた複数の前記画素回路に対して、書込電圧を前記複数のデータ線を介して供給するデータ線駆動回路と、前記複数の第１電源線および前記複数の第２電源線に電位を供給する電位制御回路とを備え、前記複数の画素回路の各々において、前記選択信号が供給される期間を書込期間、前記選択信号が供給されない期間を発光期間としたとき、前記電位制御回路は、前記書込期間となる画素回路に接続された前記第１電源線に、前記第１発光素子に印加される電圧が発光閾値電圧未満となる電位を供給し、前記書込期間となる画素回路に接続された前記第２電源線に、前記第２発光素子に印加される電圧が発光閾値電圧未満となる電位を供給し、前記発光期間となる画素回路に接続された前記第１電源線および第２電源線に供給する電位を、前記第１容量および前記第２容量のうち、一方の容量から、他方の容量に並列に設けられた発光素子に電流が流れるように設定することを特徴とする。
【００１９】
この発明によれば、書込期間において、第１発光素子および第２発光素子が非発光となるので、正確な輝度を表示でき、さらに、第１発光素子と第２発光素子とを選択的に発光させるので、２画面表示装置や３Ｄ表示装置に適用することが可能となる。
【００２０】
また、上述した電気光学装置において、前記電位制御回路は、前記書込期間において、前記書込電圧として前記第１発光素子の輝度に応じた電圧を書き込まれた前記画素回路に対して、前記発光期間において、当該画素回路に対応する前記第１電源線に固定電位を供給し、且つ当該画素回路に対応する前記第２電源線の電位を変化させて、前記第２容量から前記第１発光素子に電流を流し、前記書込期間において、前記書込電圧として前記第２発光素子の輝度に応じた電圧を書き込まれた前記画素回路に対して、前記発光期間において、前記第２電源線に固定電位を供給し、且つ前記第１電源線の電位を変化させて、前記第１容量から前記第２発光素子に電流を流すことが好ましい。この場合は、非発光とする発光素子に接続された電源線の電位を変化させることによって、発光させる発光素子に電流を流すことができる。
【００２１】
また、上述した電気光学装置において、前記書込期間において、前記書込電圧として前記第１発光素子の輝度に応じた電圧を書き込まれた前記画素回路に対して、前記発光期間において、前記第２容量から前記第１発光素子に電流が流れるように、当該画素回路に対応する前記第１電源線および前記第２電源線の電位を変化させ、前記書込期間において、前記書込電圧として前記第２発光素子の輝度に応じた電圧を書き込まれた前記画素回路に対して、前記発光期間において、前記第１容量から前記第２発光素子に電流が流れるように、当該画素回路に対応する前記第１電源線および前記第２電源線の電位を変化させることが好ましい。この発明によれば、第１電源線と第２電源線の両方の電位を制御するので、一方の電位のみを制御する場合と比較して、発光素子に供給する電流を大きくすることができる。また、発光期間において、第１電源線の電位と２電源線の電位を差動形式で変化させることにより、第１電源線および第２電源線の電位のダイナミックレンジを狭くすることができ、駆動が容易となる。
【００２２】
次に、本発明に係る電子機器は、上記のうちいずれかの電気光学装置を備えることを特徴とする。このような電子機器として、カーナビゲーション装置、およびＨＭＤなどの２画面表示装置や、パーソナルコンピュータ、および携帯電話などの１画面表示装置が該当する。この電子機器によれば、２画面表示を行う場合にも、それぞれ異なる電気光学装置で表示するのではなく、１つの電気光学装置により表示するため、装置の小型化および軽量化が可能になる。
【図面の簡単な説明】
【００２３】
【図１】本発明の実施形態に係る表示装置を示すブロック図である。
【図２】画素回路を示す回路図である。
【図３】表示装置の動作を示すタイミングチャートである。
【図４】表示装置の動作を示すタイミングチャートである。
【図５】表示装置の動作を示すタイミングチャートである。
【図６】画素回路の各期間における状態を示す図である。
【図７】表示装置の陰極の配置を示すブロック図である。
【図８】表示装置の構造を示す断面図である。
【図９】本発明の第２実施形態に係る表示装置の動作を示すタイミングチャートである。
【図１０】本発明の第２実施形態に係る表示装置の発光パターンを示す図である。
【図１１】本発明の第２実施形態に係る表示装置に視差バリアまたはレンチキュラーレンズを適用した場合の、表示装置の断面図である。
【図１２】本発明の第３実施形態に係る表示装置の動作を示すタイミングチャートである。
【図１３】本発明の第３実施形態に係る表示装置の動作を示すタイミングチャートである。
【図１４】本発明の第３実施形態に係る画素回路の各期間における状態を示す図である。
【図１５】本発明の第３実施形態に係る画素回路の各期間における状態を示す図である。
【図１６】本発明の変形例２に係る表示装置の陰極の配置を示すブロック図である。
【図１７】ＨＭＤ（Head Mounted Display）の構成を示す平面図である。
【図１８】電子機器（パーソナルコンピュータ）の斜視図である。
【図１９】電子機器（携帯電話機）の斜視図である。
【発明を実施するための形態】
【００２４】
＜Ａ：第１実施形態＞
以下、添付の図面を参照しながら本発明に係る様々な実施の形態を説明する。図面においては、各部の寸法の比率は実際のものとは適宜に異ならせてある。
【００２５】
図１は、本発明の第１実施形態に係る表示装置１のブロック図である。表示装置１は、複数の画素回路２０が配列された表示領域１０と、各画素回路２０を駆動する駆動回路３０とを備える。駆動回路３０は、例えば複数の集積回路に分散して実装される。ただし、駆動回路３０の少なくとも一部は、画素回路２０とともに基板上に形成された薄膜トランジスタで構成され得る。
【００２６】
表示領域１０には、Ｘ方向に延在するＭ本の走査線１２と、Ｘ方向に延在するＭ本の第１電源線１６ａおよびＭ本の第２電源線１６ｂと、Ｘ方向に交差するＹ方向に延在するＮ本のデータ線１４とが形成される（Ｍ、Ｎは１以上の自然数）。なお、Ｍ本の走査線１２とＭ本の第１電源線１６ａとは１対１に対応しており、Ｍ本の走査線１２とＭ本の第２電源線１６ｂとは１対１に対応している。複数の画素回路２０は、各走査線１２と各データ線１４との交差に対応して、縦Ｍ行×横Ｎ列の格子状に配列される。
【００２７】
駆動回路３０は、走査線駆動回路３１と、データ線駆動回路３２と、電位制御回路３３とを備える。走査線駆動回路３１は、複数の画素回路２０を行単位で順次選択するための手段であり、複数の画素回路２０を行単位で順次に選択するための選択信号Ｇ［ｉ］（ｉは１≦ｉ≦Ｍを満たす整数）を生成して、各走査線１２へ出力する。
データ線駆動回路３２は、ｊは１≦ｊ≦Ｎを満たす整数としたとき、ｊ列目のデータ線１４に、各画素回路２０の発光素子が発光すべき階調（以下、「指定階調」という）に応じたデータ電位ＶＤ［ｊ］を出力する。なお、ｊ列の画素回路２０は、第１行から第Ｍ行までのＭ個の回路がある。このため、以下の説明では、ｊ列目のデータ線１４に供給する電位はデータ電位ＶＤ［ｊ］と記載し、ｉ行ｊ列の画素回路２０に供給する電位はデータ電位ＶＤ［ｉ、ｊ］と記載する。
電位制御回路３３は、第１電源電位Ｖｃｔ１［ｉ］を生成し各第１電源線１６ａに出力するとともに、第２電源電位Ｖｃｔ２［ｉ］を生成し各第２電源線１６ｂへ出力する。
【００２８】
図２は、画素回路２０の回路図である。図２においては、第ｉ行の第ｊ列に位置する画素回路２０が代表的に図示されている。
画素回路２０は、選択トランジスタＴｒ１、第１発光素子Ｅ１、および第２発光素子Ｅ２を備える。選択トランジスタＴｒ１のゲートは、ｉ行目の走査線１２に接続される。選択トランジスタＴｒ１のソースおよびドレインのうち一方はｊ列目のデータ線１４に接続され、選択トランジスタＴｒ１のソースおよびドレインのうち他方はノードＮＤに接続される。第１実施形態において選択トランジスタＴｒ１はｎチャネルで構成される。
ｉ行目の走査線１２に供給される選択信号Ｇ［ｉ］がハイレベルになると、選択トランジスタＴｒ１はオン状態となり、データ線１４およびノードＮＤが電気的に接続される。一方、選択信号Ｇ[ｉ]がローレベルの期間では、選択トランジスタＴｒ１はオフ状態となり、データ線１４と第１ノードＮＤは非導通となる。
【００２９】
第１発光素子Ｅ１および第２発光素子Ｅ２は、発光ダイオードで構成することができる。この例では、陽極と陰極との間に有機ＥＬ（Electroluminescence）材料の発光層を介在させた有機ＥＬ素子を採用する。
第１発光素子Ｅ１は、ノードＮＤに電気的に接続される共通電極２２を陽極とし、第１電源線１６ａに電気的に接続される第１対向電極２４ａを陰極として構成される。第２発光素子Ｅ２は、共通電極２２を陽極とし、第２電源線１６ｂに電気的に接続される第２対向電極２４ｂを陰極として構成される。第１対向電極２４ａは、第１電源線１６ａを介して電位制御回路３３に電気的に接続され、第２対向電極２４ｂは、第２電源線１６ｂを介して電位制御回路３３に電気的に接続される。
共通電極２２は、第１発光素子Ｅ１および第２発光素子Ｅ２の共通の陽極として機能する。第１発光素子Ｅ１には並列に寄生容量Ｃ１が付随し、第２発光素子Ｅ２には並列に寄生容量Ｃ２が付随する。
第１発光素子Ｅ１および第２発光素子Ｅ２は、陽極と陰極との間に発光閾値電圧Ｖｔｈ以上の電圧が印加されると、発光層には陽極から陰極へと向かう方向に電流が流れる。発光層はこの電流の大きさに応じた輝度で発光する。
なお、第１実施形態では、第１発光素子Ｅ１のみがデータ電位ＶＤ［ｊ］に応じた輝度で発光し、第２発光素子Ｅ２は発光しない。この例の第２発光素子Ｅ２は、その寄生容量Ｃ２にデータ電位に応じた電荷が供給される。
【００３０】
なお、第１実施形態においては、共通電極２２を陽極とし、第１対向電極２４ａおよび第２対向電極２４ｂを陰極としているが、本発明はこのような形態に限定されず、共通電極２２を陰極とし、第１対向電極２４ａおよび第２対向電極２４ｂを陽極として構成しても良い。
また、第１実施形態においては、共通電極２２が、第１発光素子Ｅ１および第２発光素子Ｅ２に共通する陽極として形成されているが、本発明はこのような形態に限定されず、第１発光素子Ｅ１の陽極と、第２発光素子の陰極とを区分けして個別に形成しても良い。
さらに、本実施形態においては、第１発光素子Ｅ１には並列に寄生容量Ｃ１が付随し、第２発光素子Ｅ２には並列に寄生容量Ｃ２が付随するが、本発明はこのような形態に限定されるものではない。例えば、第１発光素子Ｅ１と並列に容量素子を設け、第２発光素子Ｅ２と並列に容量素子を設けても良い。すなわち、第１発光素子Ｅ１および第２発光素子に並列に設けられた容量は、寄生容量であってもよいし、容量素子であってもよいし、あるいは、寄生容量と容量素子とで構成されてもよい。
【００３１】
図３は、表示装置１の動作を説明するためのタイミングチャートである。図３に示す通り、選択信号Ｇ［ｉ］は、１垂直走査期間に相当する周期を有するパルス信号であり、ｉ行目の走査線１２に供給される。選択信号Ｇ［ｉ］のパルス幅、つまり選択信号Ｇ［ｉ］がハイレベルである期間は、１水平走査期間に相当する。また、選択信号Ｇ［ｉ］は、選択信号Ｇ［ｉ−１］より１水平走査期間に相当する期間だけ遅れてハイレベルに立ち上がる。この選択信号Ｇ［１］〜Ｇ［Ｍ］により、Ｍ本の走査線１２は、１水平走査期間毎に順次排他的に選択される。
選択信号Ｇ［ｉ］がハイレベルである期間、すなわち、第ｉ行の走査線１２が選択されている期間において、データ線駆動回路３２から、第ｉ行に属するＮ個の画素回路２０に、画素回路２０の階調を規定するデータ電位ＶＤ［ｉ、１］〜ＶＤ［ｉ、Ｎ］が供給される。
データ電位ＶＤ［ｉ、ｊ］は、画素回路２０のうち、第１発光素子Ｅ１の階調を規定する第１データ電位ＶＤ１［ｉ、ｊ］、および第２発光素子Ｅ２の階調を規定する第２データ電位ＶＤ２［ｉ、ｊ］より構成することができる。但し、第１実施形態においては、上述したように第１発光素子Ｅ１のみが発光するので、第１各画素回路２０には、第１データ電位ＶＤ１［ｉ、ｊ］のみが選択信号Ｇ［ｉ］がハイレベルになる期間において供給される。
【００３２】
図４は、図３のうち、第ｉ行第ｊ列の画素回路２０に対して供給される、第１電源電位Ｖｃｔ１［ｉ］、第２電源電位Ｖｃｔ２［ｉ］、第１データ電位ＶＤ１［ｉ、ｊ］、および、ノードＮＤの電位ＶＮＤ［ｉ，ｊ］について、概略をＹ軸方向の同一目盛上にプロットした図である。図３および図４に示すとおり、第１実施形態においては、第１電源電位Ｖｃｔ１［ｉ］は、一定の固定電位Ｖｃｓｔに保たれる。なお、固定電位Ｖｃｓｔとして、接地電位Ｖｇｎｄを供給しても良いし、接地電位Ｖｇｎｄ以外の一定の電位を供給しても構わない。
第２電源電位Ｖｃｔ２［ｉ］は、１垂直走査期間に相当する周期のランプ波形を有する信号である。第２電源電位Ｖｃｔ２［ｉ］は、選択信号Ｇ［ｉ］がハイレベルの期間において第１電位ＶＬに保たれる一方、選択信号Ｇ［ｉ］がローレベルとなった期間において、第１電位ＶＬから第１電位ＶＬよりも高い電位の第２電位ＶＨへと、一定の傾きで直線的に上昇する。
【００３３】
ノードＮＤの電位ＶＮＤ［ｉ、ｊ］は、選択信号Ｇ［ｉ］がハイレベルの書込期間において、データ線駆動回路３２から供給されるデータ電位ＶＤ［ｉ，ｊ］に設定される。
また、選択信号Ｇ［ｉ］がローレベルとなる発光期間において、第２電源電位Ｖｃｔ２［ｉ］が一定の傾きで上昇するのに伴い、ノードＮＤの電位ＶＮＤ［ｉ、ｊ］も第２電源電位Ｖｃｔ２［ｉ］と共に一定の傾きで直線的に上昇する。これは、寄生容量Ｃ２がカップリング容量として機能するからである。
【００３４】
ところで、発光素子の電圧電流特性は、その陽極と陰極との間に発光閾値電圧Ｖｔｈ以上の電圧が印加されると、発光素子には陽極から陰極へと向かう電流が流れるが、その電流量は指数関数的に増大する。すなわち、発光素子の電圧電流特性に応じて、印加電圧に対応する電流が発光素子に流れ、逆に、電流に対応する電圧が発光素子の両端に発生する。
ここで、発光素子の印加電圧が０Ｖであったとする。この状態において、発光閾値電圧Ｖｔｈ以上の電圧に対応する電流を発光素子に供給したとすると、発光素子の電圧は電流電圧特性によって定まる動作電圧に達するまで上昇し、動作電圧に到達した後は一定となる。
【００３５】
この実施形態において、第１発光素子Ｅ１に流れる電流の大きさは、第２電源電位Ｖｃｔ２［ｉ］の傾きで定まる。ここで、第１発光素子Ｅ１に流れる電流を「Ｉ１」とする。第１発光素子Ｅ１に電流Ｉ１を定常的に流した場合において、第１発光素子Ｅ１の電圧（陰極と陽極の電位差）を動作電圧Ｖｘとする。
図４（ａ）に示すように、ノードＮＤの電位ＶＮＤ［ｉ、ｊ］は、第１電源電位Ｖｃｔ１［ｉ］として設定される固定電位Ｖｃｓｔよりも動作電圧Ｖｘだけ高い電位に達した後は、選択信号Ｇ［ｉ］がローレベルである間は、当該電位Ｖｃｓｔ＋Ｖｘで一定に保たれる。
【００３６】
ノードＮＤの電位ＶＮＤ［ｉ、ｊ］が、第１電源線１６ａの供給する第１電源電位Ｖｃｔ１［ｉ］よりも、発光閾値電圧Ｖｔｈ以上高い電位となった場合、第１発光素子Ｅ１が発光する。また、ノードＮＤの電位ＶＮＤ［ｉ、ｊ］が、第２電源線１６ｂの供給する第２電源電位Ｖｃｔ２［ｉ］よりも、発光閾値電圧Ｖｔｈ以上高い電位となった場合、第２発光素子Ｅ２が発光する。
【００３７】
選択信号Ｇ［ｉ］がハイレベルの期間においてノードＮＤに設定されるデータ電位ＶＤ［ｉ，ｊ］は、以下の式（１）〜式（３）を満たす。
ＶＤ［ｉ、ｊ］−ＶＬ  ＜  Ｖｔｈ    ……（１）
ＶＤ［ｉ、ｊ］−Ｖｃｓｔ  ＜  Ｖｔｈ    ……（２）
ＶＤ［ｉ、ｊ］＋（ＶＨ−ＶＬ）−Ｖｃｓｔ  ≧  Ｖｔｈ    ……（３）
【００３８】
式（１）は、データ電位ＶＤ［ｉ，ｊ］と、第１電位ＶＬとの電位差が、発光閾値電圧Ｖｔｈ未満であることを表す。
選択信号Ｇ［ｉ］がハイレベルの期間では、ノードＮＤの電位ＶＮＤ［ｉ、ｊ］はデータ電位ＶＤ［ｉ，ｊ］に等しく、第２電源電位Ｖｃｔ２［ｉ］は第１電位ＶＬに設定される。従って、式（１）を満たす場合、選択信号Ｇ［ｉ］がハイレベルの期間において第２発光素子Ｅ２は発光不能となる。
なお、式（１）を満たす場合、ノードＮＤの電位ＶＮＤ［ｉ、ｊ］と第２電源電位Ｖｃｔ２［ｉ］との電位差は、選択信号Ｇ［ｉ］がローレベルの期間においても発光閾値電圧Ｖｔｈ未満の値に保たれるため、第２発光素子Ｅ２は１垂直走査期間にわたり発光不能となる。
【００３９】
式（２）は、データ電位ＶＤ［ｉ，ｊ］と、固定電位Ｖｃｓｔとの電位差が、発光閾値電圧Ｖｔｈ未満であることを表す。
選択信号Ｇ［ｉ］がハイレベルの期間では、ノードＮＤの電位ＶＮＤ［ｉ、ｊ］はデータ電位ＶＤ［ｉ，ｊ］に等しく、第１電源電位Ｖｃｔ１［ｉ］は固定電位Ｖｃｓｔに設定される。従って、式（２）を満たす場合、選択信号Ｇ［ｉ］がハイレベルの期間において第１発光素子Ｅ１は発光しない。
【００４０】
式（３）は、データ電位ＶＤ［ｉ，ｊ］に対して、第２電位ＶＨと第１電位ＶＬとの差分に相当する電圧を加算した場合に、固定電位Ｖｃｓｔよりも発光閾値電圧Ｖｔｈ以上の電位となることを表す。
選択信号Ｇ［ｉ］がハイレベルの期間では、ノードＮＤの電位ＶＮＤ［ｉ、ｊ］はデータ電位ＶＤ［ｉ，ｊ］に等しいが、選択信号Ｇ［ｉ］がローレベルとなる期間において、第２電源電位Ｖｃｔ２［ｉ］が第１電位ＶＬより第２電位ＶＨへと上昇するのに伴い、ノードＮＤの電位ＶＮＤ［ｉ、ｊ］も上昇する。一方、第１電源電位Ｖｃｔ１［ｉ］は固定電位Ｖｃｓｔに設定されている。従って、選択信号Ｇ［ｉ］がローレベルの期間において第１発光素子Ｅ１が発光可能となるためには、少なくとも、式（３）を満たす必要がある。
【００４１】
このように、上記の式（１）〜式（３）の制約の下、データ電位ＶＤ［ｉ，ｊ］を画素回路２０に対して供給することで、選択信号Ｇ［ｉ］がローレベルの期間において、データ電位ＶＤ［ｉ、ｊ］により規定される輝度で第１発光素子が発光可能となるが、選択信号Ｇ［ｉ］がハイレベルの期間においては、第１発光素子Ｅ１および第２発光素子Ｅ２は発光しない。
【００４２】
なお、画素回路２０を黒表示とする場合、すなわち、第１発光素子Ｅ１（および第２発光素子Ｅ２）を発光させない場合には、式（３）を満たさないことが条件となる。すなわち、以下の式（４）を満たすデータ電位ＶＤ［ｉ，ｊ］を供給すれば、当該画素回路２０を黒表示とすることができる。
ＶＤ［ｉ、ｊ］＋（ＶＨ−ＶＬ）−Ｖｃｓｔ  ＜  Ｖｔｈ  ……（４）
図４（ｂ）に、式（４）を満たす場合の、第１電源電位Ｖｃｔ１［ｉ］、第２電源電位Ｖｃｔ２［ｉ］、第１データ電位ＶＤ１［ｉ、ｊ］、および、ノードＮＤの電位ＶＮＤ［ｉ，ｊ］について示す。
図４（ｂ）に示されたとおり、ノードＮＤの電位ＶＮＤ［ｉ、ｊ］として式（４）を満たす第１データ電位ＶＤ１［ｉ，ｊ］が設定された場合には、その後、１垂直走査期間にわたり、ノードＮＤの電位ＶＮＤ［ｉ、ｊ］は、固定電位Ｖｃｓｔよりも発光閾値電圧Ｖｔｈ以上高い電位とはならない。従って、この場合は、第１発光素子Ｅ１は発光不能となる。
【００４３】
なお、図４においては、第１電位ＶＬ、第２電位ＶＨ、および固定電位Ｖｃｓｔは、以下の式（５）を満たす関係であった。
Ｖｃｓｔ  ≦  ＶＬ  ＜  ＶＨ  ……（５）
しかし、本発明はこのような形態に限定されるものではない。例えば、以下の式（６）を満たす関係でもよい。
ＶＬ  ≦  Ｖｃｓｔ  ＜  ＶＨ  ……（６）
図５に、式（６）を満たす場合の、第１電源電位Ｖｃｔ１［ｉ］、第２電源電位Ｖｃｔ２［ｉ］、第１データ電位ＶＤ１［ｉ、ｊ］、および、ノードＮＤの電位ＶＮＤ［ｉ，ｊ］を示す。なお、図５に示す通り、式（６）の関係を満たす場合には、図４に示した式（５）を満たす場合に比べて、第１発光素子Ｅ１の発光期間が短くなる。そのため、発光効率を考慮した場合には、式（５）を満たすことが望ましい。
【００４４】
図６を参照して、第ｉ行第ｊ列の画素回路２０の動作を説明する。図６（ａ）は、選択信号Ｇ［ｉ］がハイレベルである期間における、画素回路２０の動作を示す図である。
選択信号Ｇ［ｉ］がハイレベルである期間において、選択トランジスタＴｒ１はオンとなる。データ線１４からは、第１データ電位ＶＤ１［ｉ，ｊ］がノードＮＤを介して、寄生容量Ｃ１および寄生容量Ｃ２に対して供給される。これにより、ノードＮＤの電位ＶＮＤ［ｉ、ｊ］は第１データ電位ＶＤ１［ｉ，ｊ］に設定され、寄生容量Ｃ１には第１データ電位ＶＤ１［ｉ、ｊ］に対応する電荷Ｑ１が供給され、寄生容量Ｃ２には第１データ電位ＶＤ１［ｉ、ｊ］に対応する電荷Ｑ２が供給される。なお、第１データ電位ＶＤ１［ｉ，ｊ］は、式（１）〜式（３）を満たすように設定される。
また、第１電源電位Ｖｃｔ１［ｉ］は、固定電位Ｖｃｓｔに設定される。式（２）より、第１発光素子Ｅ１の両極間の電位差は発光閾値電圧Ｖｔｈ未満となるため、第１発光素子Ｅ１は発光しない。また、第２電源電位Ｖｃｔ２［ｉ］は第１電位ＶＬに設定される。式（１）より、第２発光素子Ｅ２の両極間の電位差は発光閾値電圧Ｖｔｈ未満となるため、第２発光素子Ｅ２は発光しない。
【００４５】
図６（ｂ）は、図６（ａ）の期間に後続する期間、すなわち、選択信号Ｇ［ｉ］がローレベルに立ち下がった直後の期間における、画素回路２０の動作を示す図である。図６（ｂ）の期間においては、選択信号Ｇ［ｉ］がローレベルであるため、選択トランジスタＴｒ１はオフとなり、データ線１４と第１ノードＮＤとが非導通となる。
第２電源電位Ｖｃｔ２［ｉ］は、第１電位ＶＬより第２電位ＶＨへと一定の傾きで上昇する。これに伴い、寄生容量Ｃ２から寄生容量Ｃ１に向けて流れる電流が発生し、ノードＮＤの電位ＶＮＤ［ｉ、ｊ］が上昇する。第１電源電位Ｖｃｔ１［ｉ］は、固定電位Ｖｃｓｔに設定される。第１発光素子Ｅ１の両極間の電位差ＶＮＤ［ｉ］−Ｖｃｓｔが発光閾値電圧Ｖｔｈ未満である間は、第１発光素子Ｅ１は発光しない。
【００４６】
図６（ｃ）は、選択信号Ｇ［ｉ］がローレベルの期間のうち、図６（ｂ）の期間に後続する期間における、画素回路２０の動作を示す図である。図６（ｃ）に示す期間では、図６（ｂ）の期間に引き続き第２電源電位Ｖｃｔ２［ｉ］が一定の傾きで上昇した結果、ノードＮＤの電位ＶＮＤ［ｉ、ｊ］もこれに伴い上昇し、第１発光素子Ｅ１の両極間の電位差ＶＮＤ［ｉ］−Ｖｃｓｔが発光閾値電圧Ｖｔｈを超える。これにより、第１発光素子Ｅ１には、寄生容量Ｃ２から第１データ電位ＶＤ１［ｉ、ｊ］に基づく大きさの電流Ｉ１が流れ、第１データ電位ＶＤ１［ｉ、ｊ］により規定される輝度で発光する。
【００４７】
図７および図８を用いて、各画素回路２０の共通電極２２、第１発光素子Ｅ１、および第２発光素子Ｅ２に対する、第１対向電極２４ａおよび第２対向電極２４ｂの配置の一例を説明する。
図７は、各画素回路２０に対する第１対向電極２４ａおよび第２対向電極２４ｂの配置を示したブロック図である。図７に示すとおり、各画素回路２０には、Ｙ軸と平行な長辺とＸ軸に平行な短辺とからなる長方形の形状を有する発光層２３が形成される。
第１対向電極２４ａは、Ｘ軸と平行な長辺とＹ軸に平行な短辺とからなる長方形の形状を有し、各走査線１２に接続するＮ個の画素回路２０にそれぞれ備えられたＮ個の第１発光素子Ｅ１に共通するように設けられている。そして第１対向電極２４ａは、Ｍ本の走査線１２に対応してＭ個形成される。同様に、第２対向電極２４ｂは、Ｘ軸と平行な長辺とＹ軸に平行な短辺とからなる長方形の形状を有し、各走査線１２に接続するＮ個の画素回路２０にそれぞれ備えられたＮ個の第２発光素子Ｅ２に共通するように設けられている。そして第２対向電極２４ｂは、Ｍ本の走査線１２に対応してＭ個形成される。１対の第１対向電極２４ａおよび第２対向電極２４ｂは、各走査線１２に接続されるＮ個の画素回路２０の発光層２３と重なるように、互いに一定の距離をあけて配置される。
Ｍ個の第１対向電極２４ａは、Ｍ本の第１電源線１６ａにより、それぞれ電位制御回路３３に接続され、Ｍ個の第２対向電極２４ｂは、Ｍ本の第２電源線１６ｂにより、それぞれ電位制御回路３３に接続される。
【００４８】
図８（ａ）は、図７に示された画素回路２０をＺ〜Ｚ´で切断した断面図である。図８（ａ）に示すとおり、基板１９上には、各画素回路２０と１対１に対応して共通電極２２が形成され、基板１９および共通電極２２の上に発光層２３が形成される。発光層２３上には、各共通電極２２に対応する位置に、第１対向電極２４ａおよび第２対向電極２４ｂが一定の間隔を隔てて形成される。
第１発光素子Ｅ１は、発光層２３のうち第１対向電極２４ａおよび共通電極２２の間に位置する第１発光部２３ａと、第１対向電極２４ａと、共通電極２２のうち第１発光部２３ａに接する部分とから形成される。同様に、第２発光素子Ｅ２は、発光層２３のうち第２対向電極２４ｂおよび共通電極２２の間に位置する第２発光部２３ｂと、第２対向電極２４ｂと、共通電極２２のうち第２発光部２３ｂに接する部分とから形成される。すなわち、各画素回路２０において、第１発光素子Ｅ１および第２発光素子Ｅ２は、Ｙ軸に沿った方向に並ぶように配置される。
なお、図示は省略するが、基板１９上には、走査線１２、およびデータ線１４が形成される。
【００４９】
また、図７および図８（ａ）においては、発光層２３は各画素回路２０と１対１となるように形成されているが、本発明はこのような形態に限定されるものではない。
すなわち、図８（ｂ）に示すとおり、発光層２３が複数の画素回路２０に共通に形成されても良い。この場合には発光層２３を画素回路２０毎に区分けして形成する必要が無いため、製造工程の簡素化が可能となる。
また、図示はしないが、第１発光素子Ｅ１および第２発光素子Ｅ２の間に隔壁を形成して、第１発光素子Ｅ１と第２発光素子Ｅ２とを区分けして形成しても良い。この場合、隣接する発光層相互間での光の漏れ等を低減することが可能となり、より鮮明な画像の表示が可能となる。
【００５０】
このように第１実施形態においては、画素回路２０に第１発光素子Ｅ１と第２発光素子Ｅ２とを備え、一方の発光素子を発光させるために、他方の発光素子に接続される電源線の電位を変化させ、その寄生容量に供給された電荷を一方の発光素子に電流として流すようにしたので、簡易な構成で一方の発光素子を発光させることができる。
また、選択信号Ｇ［ｉ］がハイレベルとなる書込期間において、画素回路２０に書き込むデータ電位ＶＤ[ｊ]は、第１発光素子Ｅ１および第２発光素子Ｅ２の発光閾値電圧Ｖｔｈ未満となるように設定されているので、書込期間において第１発光素子Ｅ１および第２発光素子Ｅ２を非発光とすることができる。
【００５１】
また、第１実施形態では、各共通電極２２の長辺と、第１対向電極２４ａおよび第２対向電極２４ｂの長辺とが直交するように、第１対向電極２４ａおよび第２対向電極２４ｂを配置した。これにより、各共通電極２２の短辺と、第１対向電極２４ａおよび第２対向電極２４ｂの長辺とが直交するように、第１対向電極２４ａおよび第２対向電極２４ｂを配置した場合に比べて、第１対向電極２４ａおよび第２対向電極２４ｂの短辺を長くすることが可能となる。従って、第１実施形態の表示装置１は、製造の簡易化、歩留まりの向上という利点を有する。
【００５２】
＜Ｂ：第２実施形態＞
第１実施形態に係る表示装置は、第１電源電位Ｖｃｔ１［ｉ］を固定電位Ｖｃｓｔとする一方、第２電源電位Ｖｃｔ２［ｉ］をランプ波形とすることで第１発光素子Ｅ１を発光させ、第２発光素子Ｅ２を非発光とした。これに対して、第２実施形態に係る表示装置は、固定電位Ｖｃｓｔとランプ波形のうち、第１電源電位Ｖｃｔ１［ｉ］を一方とし、第２電源電位Ｖｃｔ２［ｉ］を他方とし、１垂直走査期間ごとに一方と他方を入れ替える点で、第１実施形態の表示装置と相違する。
第２実施形態の表示装置は、電位制御回路３３で生成する第１電源電位Ｖｃｔ１［ｉ］および第２電源電位Ｖｃｔ２［ｉ］の波形が異なる点を除き、第１実施形態の表示装置１と同様に構成されている。
【００５３】
図９に第２実施形態に係る表示装置のタイミングチャートを示す。この図に示すように、奇数フレームＦａでは第１電源電位Ｖｃｔ１［ｉ］が固定電位Ｖｃｓｔであり、且つ第２電源電位Ｖｃｔ２［ｉ］がランプ波形である一方、偶数フレームＦｂでは第１電源電位Ｖｃｔ１［ｉ］がランプ波形であり、且つ第２電源電位Ｖｃｔ２［ｉ］が固定電位Ｖｃｓｔである。そして、ｊ番目のデータ線には、奇数フレームＦａにおいて第１発光素子Ｅ１に対応する第１データ電位ＶＤ１［ｉ、ｊ］が供給される一方、偶数フレームＦｂにおいて第２発光素子Ｅ２に対応する第２データ電位ＶＤ２［ｉ、ｊ］が供給される。
【００５４】
これにより、奇数フレームＦａにおいては、第１発光素子Ｅ１を発光させ、偶数フレームＦｂにおいては第２発光素子Ｅ２を発光させることができる。この場合、寄生容量Ｃ１は第２発光素子Ｅ２に電流を供給する電流源として機能する一方、寄生容量Ｃ２は第１発光素子Ｅ１に電流を供給する電流源として機能する。この結果、１個の選択トランジスタＴｒ１と２個の発光素子といった簡易な構成で画素回路２０を構成することができるので、開口率を向上させることが可能となる。
【００５５】
図１０は、表示領域１０の発光パターンを表した図である。表示領域１０は、奇数フレームでは、各行の画素回路２０の第１発光素子Ｅ１が第１データ電位ＶＤ１［ｉ、ｊ］に基づいて第１発光期間ＴＬ１毎に順次発光し、偶数フレームでは、各行の画素回路２０の第２発光素子Ｅ２が第２データ電位ＶＤ２［ｉ、ｊ］に基づいて第２発光期間ＴＬ２毎に順次発光する。
図１０（ａ）に示す例では、Ｒ色、Ｇ色、Ｂ色のうちいずれか一色で発光するＮ個の画素回路２０をＸ軸方向に延在する方向に１行に並べ、このようなＲ色、Ｇ色、Ｂ色に発光するＮ個の画素回路２０の列をＹ軸方向にストライプ状に配置しても良い。この場合、各水平走査期間において、データ線駆動回路３２より供給されるデータ電位ＶＤ［ｉ］は、Ｒ色、Ｇ色、Ｂ色のうち一色のみを表す信号となるため、データ電位ＶＤ［ｉ］の生成が容易となる。
また、図１０（ｂ）のように、Ｒ色、Ｇ色、Ｂ色のうちいずれか一色で発光するＭ個の画素回路２０をＹ軸方向に延在する方向に一列に並べ、このようなＲ色、Ｇ色、Ｂ色に発光するＭ個の画素回路２０の行をＸ軸方向にストライプ状に配置しても良い。
【００５６】
以上のように、第２実施形態の表示装置は、第１発光素子Ｅ１が第１データ電位ＶＤ１［ｉ、ｊ］に基づいて第1の画像を表示し、第２発光素子Ｅ２が第２データ電位ＶＤ２［ｉ、ｊ］に基づいて第２の画像を表示する。従って、第１の画像を観察できる領域と第２の画像を観察できる領域とを、光学的な手法等を用いて分離することにより、左右で異なる画像を表示できる２画面表示装置を実現することができる。この場合、例えば、第１の画像を観察できる領域を観察者の右目に位置するように設定し、第２の画像を観察できる領域を観察者の左目に位置するように設定することで、両眼で異なる画像を観察することが可能となり、３Ｄ表示装置等を実現することができる。
【００５７】
図１１に、第１発光素子Ｅ１が表示する第１の画像と、第２発光素子Ｅ２が表示する第２の画像とを光学的に分離する、２画面表示装置の例を示す。図１１（ａ）は、視差バリア４０を用いて、第１発光素子Ｅ１が表示する第１の画像および第２発光素子Ｅ２が表示する第２の画像を分離して表示する表示装置の断面図である。視差バリア４０は、遮光部４１と開口部４２とを備える。開口部４２は、第１発光素子Ｅ１および第２発光素子Ｅ２の間に配置され、第１発光素子Ｅ１の発する光のうち、左領域ＦＬに向かう光は遮光部４１により吸収される一方、右領域ＦＲに向かう光は、開口部４２より出射される。同様に、第２発光素子Ｅ２が発する光は、開口部４２より、左領域ＦＬにのみ出射される。
【００５８】
この場合、視差バリア４０の位置と開口部４２の位置および大きさを、右領域ＦＲおよび左領域ＦＬが、それぞれ観察者の右目および左目に位置するように設定することで、観察者の観察者は右目と左目で異なる画像を観察することが可能となり、例えば、３Ｄ表示装置が実現される。
また、視差バリア４０の位置と開口部４２の位置および大きさを、右領域ＦＲおよび左領域ＦＬが、異なる二人の観察者のそれぞれの位置に合致するように設定することで、表示装置１の両側に位置する２名の観察者に対してそれぞれ異なる画像を表示可能な２画面表示装置を実現することができる。
【００５９】
なお、このような２画面表示装置は、視差バリア４０の代わりにレンチキュラーレンズ５０を用いても実現可能である。図１１（ｂ）は、レンチキュラーレンズ５０を用いて第１および第２の画像を分離する表示装置の断面を示した図である。
レンチキュラーレンズ５０は、レンチキュラーレンズ５０を構成する各レンズを第１発光素子Ｅ１および第２発光素子Ｅ２の中間に配置し、第１発光素子Ｅ１が発する光は右領域ＦＲに出射され、第２発光素子Ｅ２が発する光は左領域ＦＬに出射される。これにより、右領域ＦＲおよび左領域ＦＬとで異なる画像を表示する２画面表示装置を実現できる。
このように第２実施形態においては、第１発光素子Ｅ１と第２発光素子Ｅ２とを選択的に発光させたので、異なる画像を表示させることができ、これらを分離して異なる領域に導くことによって、２画面表示や３Ｄ表示が可能となる。しかも、寄生容量Ｃ１および寄生容量Ｃ２を電流源として機能させたので、画素回路２０の構成を簡素化することが可能となった。
【００６０】
＜Ｃ：第３実施形態＞
図１２は、第３実施形態に係る表示装置の動作を説明するためのタイミングチャートである。
第３実施形態の表示装置は、電位制御回路３３で生成する第１電源電位Ｖｃｔ１［ｉ］および第２電源電位Ｖｃｔ２［ｉ］の波形が異なる点を除き、第１実施形態の表示装置１と同様に構成されている。
すなわち、第１実施形態では、第２電源電位Ｖｃｔ２［ｉ］がランプ波形で第１電位ＶＬと第２電位ＶＨの間を変動するランプ波形である一方、第１電源電位Ｖｃｔ１［ｉ］は固定電位Ｖｃｓｔに保たれていた。これに対して、第３実施形態においては、第１電源電位Ｖｃｔ１［ｉ］および第２電源電位Ｖｃｔ２［ｉ］の双方が、第１電位ＶＬおよび第２電位ＶＨの間を一定周期で変動する波形となるように、電位制御回路３３から出力される。
【００６１】
図１２に示すとおり、選択信号Ｇ［ｉ］がハイレベルである期間において、データ線駆動回路３２から、第ｉ行に属するＮ個の画素回路２０に、画素回路２０の階調を規定するデータ電位ＶＤ［ｉ、１］〜ＶＤ［ｉ、Ｎ］が供給される。データ電位ＶＤ［ｉ、ｊ］は、画素回路２０のうち、第１発光素子Ｅ１の階調を規定する第１データ電位ＶＤ１［ｉ、ｊ］、および第２発光素子Ｅ２の階調を規定する第２データ電位ＶＤ２［ｉ、ｊ］より構成される。
なお、第３実施形態においては、選択信号Ｇ［ｉ］がハイレベルである期間のうち、奇数フレームＦａにおいて、第１データ電位ＶＤ１［ｉ、ｊ］が供給される期間を第１書込期間ＴＷ１と定義し、第１書込期間ＴＷ１の後、選択信号Ｇ［ｉ］がローレベルである期間を第１発光期間ＴＬ１と定義する。また、選択信号Ｇ［ｉ］がハイレベルである期間のうち、偶数フレームＦｂにおいて、第２データ電位ＶＤ２［ｉ、ｊ］が供給される期間を第２書込期間ＴＷ２と定義し、第２書込期間ＴＷ２の後、選択信号Ｇ［ｉ］がローレベルである期間を第２発光期間ＴＬ２と定義する。第１発光期間ＴＬ１と、第２発光期間ＴＬ２とは、１垂直走査期間毎に交互に設けられる。
【００６２】
図１３は、図１２のうち、第ｉ行第ｊ列の画素回路２０に対して供給される、第１電源電位Ｖｃｔ１［ｉ］、第２電源電位Ｖｃｔ２［ｉ］、第１データ電位ＶＤ１［ｉ、ｊ］、第２データ電位ＶＤ２［ｉ、ｊ］、および、ノードＮＤの電位ＶＮＤ［ｉ，ｊ］について、概略をＹ軸方向の同一目盛上にプロットした図である。
図１２および図１３に示すとおり、第３実施形態においては、第１電源電位Ｖｃｔ１［ｉ］および第２電源電位Ｖｃｔ２［ｉ］は、２垂直走査期間に相当する周期を有する。
【００６３】
第１電源電位Ｖｃｔ１［ｉ］は、第１書込期間ＴＷ１において第２電位ＶＨに設定され、第１発光期間ＴＬ１において第２電位ＶＨから第１電位ＶＬへと一定の傾きで直線的に変化する。そして、第２書込期間ＴＷ２において第１電位ＶＬに設定され、第２発光期間ＴＬ２において第２電位ＶＬから第２電位ＶＨへと一定の傾きで直線的に変化する。
第２電源電位Ｖｃｔ２［ｉ］は、第１書込期間ＴＷ１において第１電位ＶＬに設定され、第１発光期間ＴＬ１において第１電位ＶＬから第２電位ＶＨへと一定の傾きで直線的に変化する。そして、第２書込期間ＴＷ２において第２電位ＶＨに設定され、第２発光期間ＴＬ２において第２電位ＶＨから第１電位ＶＬへと一定の傾きで直線的に変化する。
【００６４】
第１発光期間ＴＬ１において、第２電源電位Ｖｃｔ２［ｉ］が一定の傾きで上昇するのに伴い、ノードＮＤの電位ＶＮＤ［ｉ、ｊ］も上昇する。そして、ノードＮＤの電位ＶＮＤ［ｉ、ｊ］が、第１電源電位Ｖｃｔ１［ｉ］よりも、発光閾値電圧Ｖｔｈだけ高い電位に達すると、第１発光素子Ｅ１が発光する。
第２発光期間ＴＬ２において、第１電源電位Ｖｃｔ１［ｉ］が一定の傾きで上昇するのに伴い、ノードＮＤの電位ＶＮＤ［ｉ、ｊ］も上昇する。そして、ノードＮＤの電位ＶＮＤ［ｉ、ｊ］が、第２電源電位Ｖｃｔ２［ｉ］よりも、発光閾値電圧Ｖｔｈだけ高い電位に達すると、第２発光素子Ｅ２が発光する。
ノードＮＤの電位ＶＮＤ［ｉ、ｊ］は、第１電源電位Ｖｃｔ１［ｉ］または第２電源電位Ｖｃｔ２［ｉ］のうち低い電位より動作電圧Ｖｘだけ高い電位に達すると、その後、次に選択信号Ｇ［ｉ］がハイレベルに立ち上がるまでの間は、第１電源電位Ｖｃｔ１［ｉ］または第２電源電位Ｖｃｔ２［ｉ］のうち低い電位よりも動作電圧Ｖｘだけ高い電位となったまま、変化する。
すなわち、第１発光期間ＴＬ１において、ノードＮＤの電位ＶＮＤ［ｉ、ｊ］が、第１電源電位Ｖｃｔ１［ｉ］よりも動作電圧Ｖｘだけ高い電位に達すると、その後、選択信号Ｇ［ｉ］がハイレベルに立ち上がるまで、電位ＶＮＤ［ｉ、ｊ］は、第１電源電位Ｖｃｔ１［ｉ］と等しい傾きで降下する。同様に、第２発光期間ＴＬ２において、ノードＮＤの電位ＶＮＤ［ｉ、ｊ］が、第２電源電位Ｖｃｔ２［ｉ］よりも動作電圧Ｖｘだけ高い電位に達すると、その後、選択信号Ｇ［ｉ］がハイレベルに立ち上がるまで、電位ＶＮＤ［ｉ、ｊ］は、第２電源電位Ｖｃｔ２［ｉ］と等しい傾きで降下する。
【００６５】
ノードＮＤの電位ＶＮＤ［ｉ、ｊ］は、奇数フレームＦａの第１書込期間ＴＷ１において第１データ電位ＶＤ１［ｉ，ｊ］に設定され、偶数フレームＦｂの第２書込期間ＴＷ２において第２データ電位ＶＤ２［ｉ，ｊ］に設定される。これら、データ電位ＶＤ［ｉ，ｊ］は、以下の式（８）および式（９）を満たすように設定される。
ＶＤ［ｉ、ｊ］−ＶＬ  ＜  Ｖｔｈ    ……（８）
（ＶＤ［ｉ、ｊ］＋ＶＨ−ＶＬ)−ＶＬ  ≧  Ｖｔｈ    ……（９）
式（８）は、データ電位ＶＤ［ｉ，ｊ］と、第１電位ＶＬとの電位差が、発光閾値電圧Ｖｔｈ未満であること表す。
第１書込期間ＴＷ１および第２書込期間において、ノードＮＤの電位ＶＮＤ［ｉ、ｊ］はデータ電位ＶＤ［ｉ，ｊ］に設定され、第１電源電位Ｖｃｔ１［ｉ］または第２電源電位Ｖｃｔ２［ｉ］のうち低い方の電位は、第１電位ＶＬに等しい。従って、式（８）を満たす場合、第１発光素子Ｅ１および第２発光素子Ｅ２は発光不能となる。
【００６６】
第１発光期間ＴＬ１において、ノードＮＤの電位ＶＮＤ［ｉ、ｊ］は、第２電源電位Ｖｃｔ２［ｉ］の上昇に伴い上昇する。従って、第１発光期間ＴＬ１において、第２発光素子Ｅ２は発光しない。
同様に、第２発光期間ＴＬ２において、ノードＮＤの電位ＶＮＤ［ｉ、ｊ］は、第１電源電位Ｖｃｔ１［ｉ］の上昇に伴い上昇する。従って、第２発光期間ＴＬ２において、第１発光素子Ｅ１は発光しない。
【００６７】
式（９）は、データ電位ＶＤ［ｉ，ｊ］に対して、第２電位ＶＨと第１電位ＶＬとの差分に相当する電位差を加算した場合の電位と、第１電位ＶＬとの電位差が、発光閾値電圧Ｖｔｈ以上であることを表す。
第１発光期間ＴＬ１において、第２電源電位Ｖｃｔ２［ｉ］は、第１電位ＶＬから第２電位ＶＨへと電位差ＶＨ−ＶＬだけ上昇する。第１発光素子Ｅ１および第２発光素子Ｅ２が共に発光しない場合、ノードＮＤの電位ＶＮＤ［ｉ、ｊ］も、第２電源電位Ｖｃｔ２［ｉ］の上昇に伴い、第１データ電位ＶＤ１［ｉ，ｊ］よりも電位差ＶＨ−ＶＬの分だけ高い電位へと、一定の傾きで上昇する。一方、第１電源電位Ｖｃｔ１［ｉ］は、第２電位ＶＨから第１電位ＶＬへと一定の傾きで降下する。従って、ノードＮＤの電位ＶＮＤ［ｉ、ｊ］と第１電源電位Ｖｃｔ１［ｉ］との電位差（ＶＤ１［ｉ、ｊ］＋ＶＨ−ＶＬ)−ＶＬが、発光閾値電圧Ｖｔｈ以上となる場合には、第１発光素子Ｅ１が発光する。
同様に、第２発光期間ＴＬ２において、第１電源電位Ｖｃｔ１［ｉ］は、第１電位ＶＬから第２電位ＶＨへと電位差ＶＨ−ＶＬだけ上昇する。第１発光素子Ｅ１および第２発光素子Ｅ２が共に発光しない場合、ノードＮＤの電位ＶＮＤ［ｉ、ｊ］も、第１電源電位Ｖｃｔ１［ｉ］の上昇に伴い、第２データ電位ＶＤ２［ｉ，ｊ］よりも電位差ＶＨ−ＶＬの分だけ高い電位へと、一定の傾きで上昇する。一方、第２電源電位Ｖｃｔ２［ｉ］は、第２電位ＶＨから第１電位ＶＬへと一定の傾きで降下する。従って、ノードＮＤの電位ＶＮＤ［ｉ、ｊ］と第２電源電位Ｖｃｔ２［ｉ］との電位差（ＶＤ２［ｉ、ｊ］＋ＶＨ−ＶＬ)−ＶＬが、発光閾値電圧Ｖｔｈ以上となる場合には、第２発光素子Ｅ２が発光する。
【００６８】
なお、画素回路２０を黒表示とする場合、すなわち、第１発光素子Ｅ１（および第２発光素子Ｅ２）を発光させない場合には、式（９）を満たさないことが条件となる。すなわち、従って、以下の式（１０）を満たすデータ電位ＶＤ［ｉ，ｊ］を供給すれば、当該画素回路２０を黒表示とすることができる。
(ＶＤ［ｉ、ｊ］＋ＶＨ−ＶＬ)−ＶＬ  ＜  Ｖｔｈ  ……（１０）
図１３（ｂ）に式（１０）を満たす場合の、第１電源電位Ｖｃｔ１［ｉ］、第２電源電位Ｖｃｔ２［ｉ］、第１データ電位ＶＤ１［ｉ、ｊ］、第２データ電位ＶＤ２［ｉ、ｊ］、および、ノードＮＤの電位ＶＮＤ［ｉ，ｊ］について示す。
図１３（ｂ）に示すとおり、ノードＮＤの電位ＶＮＤ［ｉ、ｊ］として、式（１０）を満たすデータ電位ＶＤ［ｉ，ｊ］が設定された場合には、その後、第１発光期間ＴＬ１または第２発光期間ＴＬ２において、ノードＮＤの電位ＶＮＤ［ｉ、ｊ］は、第１電源電位Ｖｃｔ１［ｉ］または第２電源電位Ｖｃｔ２［ｉ］のうち低い方の電位よりも発光閾値電圧Ｖｔｈ以上高い電位とはならない。従って、この場合は、第１発光素子および第２発光素子は発光不能となる。
【００６９】
図１４および図１５を参照して、第ｉ行第ｊ列の画素回路２０の動作を説明する。図１４（ａ）は、第１書込期間ＴＷ１における、画素回路２０の動作を示す図である。第１書込期間ＴＷ１においては、選択信号Ｇ［ｉ］がハイレベルであり、選択トランジスタＴｒ１はオンとなる。データ線１４からは、第１データ電位ＶＤ１［ｉ，ｊ］がノードＮＤを介して、寄生容量Ｃ１および寄生容量Ｃ２に対して供給される。これにより、ノードＮＤの電位ＶＮＤ［ｉ、ｊ］は第１データ電位ＶＤ１［ｉ，ｊ］に設定され、寄生容量Ｃ１および寄生容量Ｃ２には、第１データ電位ＶＤ１［ｉ、ｊ］に対応する電荷Ｑ１および電荷Ｑ２がそれぞれ供給される。なお、第１データ電位ＶＤ１［ｉ，ｊ］は、式（８）および（９）を満たすように設定される。
第１電源電位Ｖｃｔ１［ｉ］は、第２電位ＶＨに設定される。式（８）より、第１発光素子Ｅ１の両極間の電位差は発光閾値電圧Ｖｔｈ未満であり、第１発光素子Ｅ１は発光しない。また、第２電源電位Ｖｃｔ２［ｉ］は、第１電位ＶＬに設定される。式（８）より、第２発光素子Ｅ２の両極間の電位差は発光閾値電圧Ｖｔｈ未満であり、第２発光素子Ｅ２は発光しない。
【００７０】
図１４（ｂ）は、図１４（ａ）の期間に後続する第１発光期間ＴＬ１における、画素回路２０の動作を示す図である。第１発光期間ＴＬ１においては、選択信号Ｇ［ｉ］がローレベルであるため、選択トランジスタＴｒ１はオフとなり、データ線１４と第１ノードＮＤとが非導通となる。
第２電源電位Ｖｃｔ２［ｉ］は、第１電位ＶＬより第２電位ＶＨへと一定の傾きで上昇する。これに伴い、ノードＮＤの電位ＶＮＤ［ｉ、ｊ］が上昇する。一方、第１電源電位Ｖｃｔ１［ｉ］は、第２電位ＶＨより第１電位ＶＬへと一定の傾きで下降する。そして、式（９）を満たす場合、第１発光素子Ｅ１の両極間の電位差ＶＮＤ［ｉ、ｊ］−Ｖｃｔ１［ｉ］が発光閾値電圧Ｖｔｈ以上となったときに、第１発光素子Ｅ１が発光する。
【００７１】
図１５（ａ）は、図１４（ｂ）の期間に後続する第２書込期間ＴＷ２における、画素回路２０の動作を示す図である。第２書込期間ＴＷ２においては、第１書込期間と同様、選択信号Ｇ［ｉ］がハイレベルとなり、データ線１４からは、第２データ電位ＶＤ２［ｉ，ｊ］がノードＮＤを介して、寄生容量Ｃ１および寄生容量Ｃ２に対して供給される。これにより、ノードＮＤの電位ＶＮＤ［ｉ、ｊ］は第２データ電位ＶＤ２［ｉ，ｊ］に設定され、寄生容量Ｃ１および寄生容量Ｃ２には、第２データ電位ＶＤ２［ｉ、ｊ］に対応する電荷Ｑ１´および電荷Ｑ２´がそれぞれ供給される。なお、第２データ電位ＶＤ２［ｉ，ｊ］は、式（８）および（９）を満たすように設定される。
第１電源電位Ｖｃｔ１［ｉ］は、第１電位ＶＬに設定される。式（８）より、第１発光素子Ｅ１の両極間の電位差は発光閾値電圧Ｖｔｈ未満となり、第１発光素子Ｅ１は発光しない。また、第２電源電位Ｖｃｔ２［ｉ］は、第２電位ＶＨに設定される。式（８）より、第２発光素子Ｅ２の両極間の電位差は発光閾値電圧Ｖｔｈ未満となり、第２発光素子Ｅ２は発光しない。
【００７２】
図１５（ｂ）は、図１５（ａ）の期間に後続する第２発光期間ＴＬ２における、画素回路２０の動作を示す図である。第２発光期間ＴＬ２においては、選択信号Ｇ［ｉ］がローレベルであるため、データ線１４と第１ノードＮＤとが非導通となる。
第１電源電位Ｖｃｔ１［ｉ］は、第１電位ＶＬより第２電位ＶＨへと一定の傾きで上昇する。これに伴い、ノードＮＤの電位ＶＮＤ［ｉ、ｊ］が上昇する。一方、第２電源電位Ｖｃｔ２［ｉ］は、第２電位ＶＨより第１電位ＶＬへと一定の傾きで下降する。そして、式（９）を満たす場合、第２発光素子Ｅ２の両極間の電位差ＶＮＤ［ｉ、ｊ］−Ｖｃｔ２［ｉ］が発光閾値電圧Ｖｔｈ以上となったときに、第２発光素子Ｅ２が発光する。
【００７３】
このように、第３実施形態においては、第１電源電位Ｖｃｔ１［ｉ］および第２電源電位Ｖｃｔ２［ｉ］の差動形式で駆動するので、第１実施形態に比べて、第１電源電位Ｖｃｔ１［ｉ］および第２電源電位Ｖｃｔ２［ｉ］のダイナミックレンジを半分に抑えることができる。従って、第３実施形態の表示装置は、低消費電力化が可能という利点を有する。
【００７４】
＜Ｄ：変形例＞
本発明は上述した実施形態に限定されるものではなく、例えば以下の変形が可能である。
（１）変形例１
上述した第１実施形態、第２実施形態、および、第３実施形態においては、第１対向電極２４ａは第１電源線１６ａを介して電位制御回路３３に電気的に接続し、第２対向電極２４ｂは第２電源線１６ｂを介して電位制御回路３３に電気的に接続しているが、本発明はこのような形態に限定されるものではない。
すなわち、第１電源線１６ａの一部または全部を第１対向電極２４ａにより構成してもよい。また、第２電源線１６ｂの一部または全部を第２対向電極２４ｂにより構成してもよい。
第１電源線１６ａの全部を第１対向電極２４ａで構成し、第２電源線１６ｂの全部を第２対向電極２４ｂで構成する場合、第１対向電極２４ａおよび第２対向電極２４ｂは、直接電位制御回路３３に接続される。
この場合、表示領域１０には、２Ｍ本の電源線を形成する必要が無いため、製造工程の簡易化による歩留まり向上が可能になるという利点を有する。
【００７５】
（２）変形例２
上述した第１実施形態、第２実施形態、および第３実施形態においては、第1発光素子Ｅ１および第２発光素子Ｅ２は、各画素回路２０において、Ｙ軸に沿った方向に並ぶように配置されているが、本発明はこのような形態に限定されるものではない。
すなわち、図１６に示すとおり、各画素回路２０において、第1発光素子Ｅ１および第２発光素子Ｅ２を、Ｘ軸に沿った方向に並ぶように配置してもよい。
この場合、第１対向電極２４ａおよび第２対向電極２４ｂは、各画素回路２０にそれぞれ個別に形成される。また、第１電源線１６ａは、同一の走査線１２に接続するＮ個の画素回路２０に備えられたＮ個の第１対向電極２４ａと接続するように、Ｍ本の走査線１２に対をなしてＭ本配置される。同様に、第２電源線１６ｂは、同一の走査線１２に接続するＮ個の画素回路２０に備えられたＮ個の第２対向電極２４ｂと接続するように、Ｍ本の走査線１２に対をなしてＭ本配置される。
【００７６】
（３）変形例３
上述した第１実施形態、第２実施形態、および第３実施形態において、発光期間（第１発光期間、第２発光期間）において、第１電源電位Ｖｃｔ１［ｉ］または第２電源電位Ｖｃｔ２［ｉ］はランプ波形となっていたが、本発明はこれに限定されるものではない。要は、非発光の発光素子に付随する寄生容量から発光させる発光素子に電流が流れ、当該電流に応じて当該発光素子が発光すれば、どのような波形であってもよい。例えば、第１電位ＶＬから第２電位ＶＨに単調増加する波形であってもよいし（第１実施形態および第２実施形態に適用）、そのよう波形と、第２電位ＶＨから第１電位ＶＬに単調減少する波形と用いてもよい（第３実施形態に適用）。
【００７７】
＜Ｅ：応用例＞
次に、以上の各態様に係る表示装置１を利用した電子機器について説明する。図１７ないし図１９には、表示装置１を表示装置として採用した電子機器の形態が図示されている。
図１７は、表示装置１を採用したＨＭＤ（Head Mounted Display）１０００の構成を示す断面図である。ＨＭＤ１０００は、第１の画像１００２Ｌおよび第２の画像１００２Ｒを表示する表示装置１、第１の画像１００２Ｌを観察者の左目へと導く導光板１００１Ｌ、第２の画像１００２Ｒを観察者の右目へと導く導光板１００１Ｒ、およびフレーム１００３を具備する。ＨＭＤ１０００は、３Ｄ表示装置としても活用することができる。
表示装置１を採用したＨＭＤ１０００は、第１の画像１００２Ｌおよび第２の画像１００２Ｒをそれぞれ異なる表示装置で表示するのではなく、１つの表示装置１により表示するため、装置の小型化および軽量化が可能になるという利点を有する。
【００７８】
図１８は、表示装置１を採用したモバイル型のパーソナルコンピュータの構成を示す斜視図である。パーソナルコンピュータ２０００は、各種の画像を表示する表示装置１と、電源スイッチ２００１やキーボード２００２が設置された本体部２０１０とを具備する。
【００７９】
図１９は、表示装置１を適用した携帯電話機の構成を示す斜視図である。携帯電話機３０００は、複数の操作ボタン３００１およびスクロールボタン３００２と、各種の画像を表示する表示装置１とを備える。スクロールボタン３００２を操作することによって、表示装置１に表示される画面がスクロールされる。
【００８０】
なお、本発明に係る発光装置が適用される電子機器としては、図１７から図１９に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【符号の説明】
【００８１】
１…表示装置、１２…走査線、１４…データ線、１６ａ…第１電源線、１６ｂ…第２電源線、２０…画素回路、２２…共通電極、２３…発光層、２４ａ…第１対向電極、２４ｂ…第２対向電極、３０…駆動回路、３１…走査線駆動回路、３２…データ線駆動回路、３３…電位制御回路、Ｃ１…寄生容量、Ｃ２…寄生容量、Ｅ１…第１発光素子、Ｅ２…第２発光素子、Ｇ［ｉ］…選択信号、ＮＤ…ノード、ＶＤ［ｉ、ｊ］…データ電位、ＶＤ１［ｉ、ｊ］…第１データ電位、ＶＤ２［ｉ、ｊ］…第２データ電位、ＶＬ…第１電位、ＶＨ…第２電位、ＶＮＤ［ｉ、ｊ］…ノードＮＤの電位、Ｖｃｓｔ…固定電位、Ｖｃｔ１［ｉ］…第１電源電位、Ｖｃｔ２［ｉ］…第２電源電位、Ｖｔｈ…発光閾値電圧、Ｖｘ…動作電圧。
【図１】
0005630210.tif 000002
【図２】
0005630210.tif 000003
【図３】
0005630210.tif 000004
【図４】
0005630210.tif 000005
【図５】
0005630210.tif 000006
【図６】
0005630210.tif 000007
【図７】
0005630210.tif 000008
【図８】
0005630210.tif 000009
【図９】
0005630210.tif 000010
【図１０】
0005630210.tif 000011
【図１１】
0005630210.tif 000012
【図１２】
0005630210.tif 000013
【図１３】
0005630210.tif 000014
【図１４】
0005630210.tif 000015
【図１５】
0005630210.tif 000016
【図１６】
0005630210.tif 000017
【図１７】
0005630210.tif 000018
【図１８】
0005630210.tif 000019
【図１９】
0005630210.tif 000020